【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
変性された酸素含有無機粒状物質を調製する方法であって、
ａ）酸素含有無機粒状物質の水性懸濁物及び式
【化１】
2008544052.tif 000001
に従うアルコキシル化アルコール、ここでＲ１はＣ１〜Ｃ８のアルキル、Ｃ４〜Ｃ８のシクロアルキル又はフェニルであり、Ｒ２は水素又はメチルであり、かつｎは１乃至５の整数である、の混合物を調製すること、
ｂ）任意的に、第１の樹脂及び／又は第１の樹脂前駆体を添加すること、
ｃ）Ｓｉ、Ａｌ、Ｔｉ、Ｚｒ、Ｂ、Ｚｎ、Ｓｎ及びＶから成る群から選ばれる１以上の元素を含む１以上のカップリング剤を該混合物に添加すること、
ｄ）任意的に、第２の樹脂及び／又は第２の樹脂前駆体を得られた混合物に添加すること、
並びにここで、
任意的に、工程ｂ）、ｃ）若しくはｄ）の前若しくは間に、又は工程ｄ）の後に、該混合物から少なくとも部分的に水が除去され、
かつ任意的に、工程ｃ）の前、間又は後に、該第１の樹脂前駆体を該第１の樹脂に転化し、かつ／又は、工程ｄ）の後に該第２の樹脂前駆体を該第２の樹脂に転化する、
の工程を含む上記方法。
【請求項２】
変性されたコロイド状酸素含有無機粒状物質を調製する方法であって、
ａ）酸素含有無機粒状物質の水性懸濁物及び式
【化２】
2008544052.tif 000002
に従うアルコキシル化アルコール、ここでＲ１はＣ１〜Ｃ８のアルキル、Ｃ４〜Ｃ８のシクロアルキル又はフェニルであり、Ｒ２は水素又はメチルであり、かつｎは１乃至５の整数である、の混合物を調製すること、
ｂ）第１の樹脂及び／又は第１の樹脂前駆体を添加すること、
ｃ）Ｓｉ、Ａｌ、Ｔｉ、Ｚｒ、Ｂ、Ｚｎ、Ｓｎ及びＶから成る群から選ばれる１以上の元素を含む１以上のカップリング剤を該混合物に添加すること、
ｄ）任意的に、第２の樹脂及び／又は第２の樹脂前駆体を得られた混合物に添加すること、
並びにここで、
任意的に、工程ｂ）、ｃ）若しくはｄ）の前若しくは間に、又は工程ｄ）の後に、該混合物から少なくとも部分的に水が除去され、
かつ任意的に、工程ｃ）の前、間又は後に、該第１の樹脂前駆体を該第１の樹脂に転化し、かつ／又は、工程ｄ）の後に該第２の樹脂前駆体を該第２の樹脂に転化する、
の工程を含む上記方法。
【請求項３】
変性されたコロイド状酸素含有無機粒状物質を調製する方法であって、
ａ）酸素含有無機粒状物質の水性懸濁物及び式
【化３】
2008544052.tif 000003
に従うアルコキシル化アルコール、ここでＲ１はＣ１〜Ｃ８のアルキル、Ｃ４〜Ｃ８のシクロアルキル又はフェニルであり、Ｒ２は水素又はメチルであり、かつｎは１乃至５の整数である、の混合物を調製すること、
ｂ）Ｓｉ、Ａｌ、Ｔｉ、Ｚｒ、Ｂ、Ｚｎ、Ｓｎ及びＶから成る群から選ばれる１以上の元素を含む１以上のカップリング剤を該混合物に添加すること、
ｃ）任意的に、第１の樹脂及び／又は第１の樹脂前駆体を得られた混合物に添加すること、
並びにここで、
任意的に、工程ｂ）若しくはｃ）の前若しくは間に、又は工程ｃ）の後に、該混合物から少なくとも部分的に水が除去され、
かつ任意的に、工程ｃ）の後に、該第１の樹脂前駆体を該第１の樹脂に転化する、
の工程を含む上記方法。
【請求項４】
該酸素含有無機粒状物質が、シリカ、アルミナ、アルミニウム三水和物、二酸化チタン、酸化スズ、インジウムスズ酸化物及び酸化亜鉛からなる群から選ばれる、請求項１〜３のいずれか１項に記載の方法。
【請求項５】
該酸素含有無機粒状物質が、工程ａ）に先立ち脱イオン化されたシリカである、請求項１〜４のいずれか１項に記載の方法。
【請求項６】
請求項１の方法により得られる懸濁物であって、変性された酸素含有無機粒状物質及び式
【化４】
2008544052.tif 000004
に従うアルコキシル化アルコール、ここでＲ１はＣ１〜Ｃ８のアルキル、Ｃ４〜Ｃ８のシクロアルキル又はフェニルであり、Ｒ２は水素又はメチルであり、かつｎは１乃至５の整数である、を含む上記懸濁物。
【請求項７】
変性された酸素含有無機粒状物質の乾燥粉体であって、変性された酸素含有無機粒状物質及び式
【化５】
2008544052.tif 000005
に従うアルコキシル化アルコール、ここでＲ１はＣ１〜Ｃ８のアルキル、Ｃ４〜Ｃ８のシクロアルキル又はフェニルであり、Ｒ２は水素又はメチルであり、かつｎは１乃至５の整数である、を含む、請求項１の方法により得られる懸濁物から、アルコキシル化アルコールを除去することにより得られる上記乾燥粉体。
【請求項８】
請求項１〜５に記載の方法のいずれか１つにより得られる樹脂組成物であって、変性された酸素含有無機粒状物質、第１の樹脂及び／又は第２の樹脂、並びに式
【化６】
2008544052.tif 000006
に従うアルコキシル化アルコール、ここでＲ１はＣ１〜Ｃ８のアルキル、Ｃ４〜Ｃ８のシクロアルキル又はフェニルであり、Ｒ２は水素又はメチルであり、かつｎは１乃至５の整数である、を含む上記樹脂組成物。
【請求項９】
請求項１〜５に記載の方法のいずれか１つにより得られる樹脂組成物であって、変性された酸素含有無機粒状物質並びに第１及び／又は第２の樹脂を含む上記樹脂組成物。
【請求項１０】
請求項８及び９のいずれか１項に記載の樹脂組成物を含むコーティング組成物。
【請求項１１】
請求項９に従う樹脂組成物及び硬化剤を含む粉体コーティング組成物。
【請求項１２】
第１の樹脂及び／又は第２の樹脂並びに、請求項１〜５に記載の方法のいずれか１つにより得られる変性された酸素含有無機粒状物質を含む、ナノコンポジット材料。
【手続補正２】
【補正対象書類名】明細書
【補正対象項目名】０００９
【補正方法】変更
【補正の内容】
【０００９】
この目的は、変性された酸素含有無機粒状物質を調製する方法であって、
ａ）酸素含有無機粒状物質の水性懸濁物及び式
【化１】
2008544052.tif 000007
に従うアルコキシル化アルコール、ここでＲ１はＣ１〜Ｃ８のアルキル、Ｃ４〜Ｃ８のシクロアルキル又はフェニルであり、好ましくはＲ１はＣ１〜Ｃ４のアルキルであり、Ｒ２は水素又はメチルであり、好ましくはＲ２はメチルであり、かつｎは１乃至５の整数である、の混合物を調製すること、
ｂ）任意的に、第１の樹脂及び／又は第１の樹脂前駆体を添加すること、
ｃ）Ｓｉ、Ａｌ、Ｔｉ、Ｚｒ、Ｂ、Ｚｎ、Ｓｎ及びＶから成る群から選ばれる１以上の元素を含む１以上のカップリング剤を該混合物に添加すること、
ｄ）任意的に、第２の樹脂及び／又は第２の樹脂前駆体を得られた混合物に添加すること、
並びにここで、
任意的に、工程ｂ）、ｃ）若しくはｄ）の前若しくは間に、又は工程ｄ）の後に、該混合物から少なくとも部分的に水が除去され、
かつ任意的に、工程ｃ）の前、間、若しくは後に該第１の樹脂前駆体を該第１の樹脂に転化し、かつ／又は工程ｄ）の後に該第２の樹脂前駆体を該第２の樹脂に転化する、
の工程を含む上記方法により達成される。
【手続補正３】
【補正対象書類名】明細書
【補正対象項目名】００３６
【補正方法】変更
【補正の内容】
【００３６】
本発明のカップリング剤は典型的には、式
【化５】
2008544052.tif 000008
に従うカップリング剤であり、
ここでＭ１及びＭ２は、Ｓｉ、Ａｌ、Ｔｉ、Ｚｒ及びＢから成る群から独立的に選ばれ、
そしてＲ１〜Ｒ６の少なくとも１つがヒドロキシル、塩素、１から１０の炭素原子を有するアシルオキシ、１から２０の炭素原子を有するアルコキシ、１乃至２０の炭素原子を含む２つの炭化水素基を含むオルガノホスフェート、及び１乃至２０の炭素原子を含む２つの炭化水素基を含むオルガノピロホスフェートから独立的に選ばれ、ここでアシルオキシ、アルコキシ、オルガノホスフェート又はオルガノピロホスフェートは任意的に少なくとも１の官能基を含む、
そして残るＲ１〜Ｒ６は、ヒドロキシル、塩素、１から１０，０００の炭素原子を有する炭化水素、ここで該炭化水素は任意的に少なくとも１の官能基を含む、１から５の炭素原子を有するアシルオキシ、及び１から２０の炭素原子を有するアルコキシ、ここで該アルコキシは任意的に少なくとも１の官能基を含む、シロキサン並びにシラザン、ここで該シロキサン及び／又は該シラザンは任意的に環状構造、はしご状構造若しくはかご状構造であり又は残るＲ１〜Ｒ６基のいずれか１つと環、はしご、又はかご状構造を形成する、から独立的に選ばれ；
そしてＸは酸素を表し、又はもしＭ１及び／又はＭ２がＳｉであるならばＸはＯ、Ｎ、Ｓ、ジスルフィド、ポリスルフィド、Ｒ７−Ｓ４−Ｒ８及び／又はＲ７−Ｓ２−Ｒ８であり、ここでＲ７及びＲ８は１から６の炭素原子を有する炭化水素から独立的に選ばれる、
そしてｐは０から５０の整数を表し、
但し、もしＭ１がＡｌ又はＢであるとするならば、Ｒ３は不在であり、及び／又はもしＭ２がＡｌ又はＢであるとするならば、Ｒ５は不在である。
官能基は、当技術分野の当業者に既知の任意の官能基でよい。そのような官能基の例は、ヒドロキシル、エポキシ、イソシアネート、チオール、オリゴスルフィド、アミン及びハロゲンである。
【手続補正４】
【補正対象書類名】明細書
【補正対象項目名】００７４
【補正方法】変更
【補正の内容】
【００７４】
代わりに、ヒドロキシ官能性ポリエステルが、封鎖されたイソシアネート官能性硬化剤又は、例えばメラミン樹脂、尿素ホルムアルデヒド樹脂、或いはグリコールウレアホルムアルデヒド樹脂、例えばＣｙａｎａｍｉｄ  Ｃｏｍｐａｎｙより供給される材料「Ｐｏｗｄｅｒｌｉｎｋ  １１７４」、或いはヘキサヒドロキシメチルメラミンのような、アミンホルムアルデヒド縮合物と一緒に用いられうる。ヒドロキシ官能性ポリエステルの為の封鎖されたイソシアネート硬化剤は例えば、ウレトジオン型のように内部的に封鎖されてもよく、又はそれはカプロラクタム封鎖型、例えばイソフォロンジイソシアネート、であってもよい。
【手続補正５】
【補正対象書類名】明細書
【補正対象項目名】０１２０
【補正方法】変更
【補正の内容】
【０１２０】
実施例２６：エチルプロキシトール中のＭＥＭＯ変性された酸化チタン（ＩＶ）ナノ粒子
機械的攪拌機、温度計、及び蒸留ユニットを備えられた２５０ｍｌ３つ首丸底フラスコ中に、５０．００グラムのエチルプロキシトール（Ｓｈｅｌｌ  Ｃｈｅｍｉｃａｌｓから）、０．５２グラム（０．２１０ミリモル）のＭＥＭＯ（Ａｃｒｏｓから）、及び３．００グラムの酸化チタン（ＩＶ）ナノ粒子を含有する３０．００グラムの酸化チタン（ＩＶ）懸濁物（Ａｌｄｒｉｃｈから）が計量された。
温度は６５℃に上昇され、そしてそこで５時間維持された。次に、全ての溶媒が蒸発するまで、圧力がゆっくりと減じられた。最終生成物は、エチルプロキシトール中に、変性された酸化チタン（ＩＶ）の４．１重量％分散物を含有した。ナノ粒子は時間が経てば沈殿するが、攪拌により容易に再分散されうる。